(57)【要約】【課題】回路破壊の危険性なく大型パネルを駆動する回路を分割し、かつパネルの輝度むらを解決することで、良好な画像表示が可能な１００インチを超えるＰＤＰを実現することを目的とする。【解決手段】誘電体に覆われた複数の走査電極と複数の維持電極が形成された前面基板と、書き込み電極および隔壁が形成された背面基板と、が対向配置されたプラズマディスプレイパネルであって、前記複数の維持電極５は、本数の等しい少なくとも二つ以上のグループに分けられ、前記グループごとに前記維持電極どうしを電気的に接続する接続部Ｃ１、Ｃ２を備え、前記接続部Ｃ１、Ｃ２は、グループごとに互いに電気的に分離されており、且つ、それぞれ異なる回路と接続されている、ことを特徴とするプラズマディスプレイパネル。【選択図】図１
2010055913.tif 000002
【特許請求の範囲】
【請求項１】
誘電体に覆われた複数の走査電極と複数の維持電極が形成された前面基板と、書き込み電極および隔壁が形成された背面基板と、が対向配置されたプラズマディスプレイパネルであって、
前記複数の維持電極は、本数の等しい少なくとも二つ以上のグループに分けられ、
前記グループごとに前記維持電極どうしを電気的に接続する接続部を備え、
前記接続部は、グループごとに互いに電気的に分離されており、且つ、それぞれ異なる回路と接続されている、
ことを特徴とするプラズマディスプレイパネル。
【請求項２】
前記接続部は、各々、面積が等しいことを特徴とする請求項１に記載のプラズマディスプレイパネル。
【請求項３】
前記接続部は、各々、幅が等しいことを特徴とする請求項１に記載のプラズマディスプレイパネル。
【請求項４】
前記維持電極は、各々、長さが等しいことを特徴とする請求項１に記載のプラズマディスプレイパネル。
【請求項５】
前記維持電極は、各々、すべて等しい角度で前記接続部と接続されていることを特徴とする請求項４に記載のプラズマディスプレイパネル。
【請求項６】
前記接続部は、銀を含有することを特徴とする請求項１に記載のプラズマディスプレイパネル。
【請求項７】
前記各グループが備える前記接続部と前記維持電極に駆動電圧を印加するための維持駆動回路とを接続する接続基板を接続するための端子ブロックを、前記グループごとに２つ以上ずつ備えることを特徴とする請求項１に記載のプラズマディスプレイパネル。
【請求項８】
前記各グループが備える前記端子ブロックの数が、全グループで等しいことを特徴とする請求項７に記載のプラズマディスプレイパネル。
【請求項９】
前記各グループが備える前記端子ブロックの配置が、対称形である請求項８に記載のプラズマディスプレイパネル。
【請求項１０】
前記各グループが備える前記端子ブロックの数をＮｂ、前記各グループが備える前記維持電極の本数をＮｓ、電極幅をＷｅ、前記各グループが備える前記接続部の幅をＷｓ、としたとき、Ｗｓ≧Ｗｅ×Ｎｓ／（２・Ｎｂ）の関係を満たすことを特徴とする請求項７に記載のプラズマディスプレイパネル。
【請求項１１】
請求項１から１０のいずれかに記載のプラズマディスプレイパネルと、前記各グループが備える前記維持電極各々に、駆動電圧を印加するための維持駆動回路と、前記維持電極と前記維持駆動回路とを接続する接続基板と、を備えたプラズマディスプレイ装置。
【請求項１２】
前記維持駆動回路の出力は、各グループごとに電気的に分離されて行われる請求項１１に記載のプラズマディスプレイ装置。
【請求項１３】
前記維持駆動回路に電圧を供給する電源は、前記維持駆動回路ごとに別箇に備えられていることを特徴とする請求項１２に記載のプラズマディスプレイ装置。
【発明の詳細な説明】
【技術分野】
【０００１】
本発明はプラズマディスプレイパネルに関するものである。
【背景技術】
【０００２】
プラズマディスプレイパネル（以下、ＰＤＰともいう）には、大別して、駆動的にはＡＣ型とＤＣ型があり、放電形式では面放電型と対向放電型の２種類があるが、高精細化、大画面化および製造の簡便性から、現状では、３電極構造の面放電型ＰＤＰが主流である。
【０００３】
この面放電型のＰＤＰの構造は、少なくとも前面側が透明な一対の基板を基板間に放電空間が形成されるように対向配置するとともに、前記放電空間には放電ガスを封入し、且つ、前記放電空間を複数に仕切るための隔壁を基板に配置し、また、前記隔壁により仕切られた放電空間で放電が発生するように基板に電極群を配置するとともに放電により発光する赤色、緑色、青色に発光する蛍光体を設けて複数の放電セルを構成したもので、放電ガスが放電により発する波長の短い真空紫外光によって蛍光体を励起し、赤色、緑色、青色の放電セルからそれぞれ赤色、緑色、青色の可視光を発することによりカラー表示を行っている。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
近年、１００インチを超える大型パネルが発表されている。この場合、１つの回路基板でパネル全体を駆動することが困難になるため、駆動回路を２つ以上に分割する方策が考えられる（例えば、特許文献１参照）。
【特許文献１】特開２００７−１５６４７２号公報
【発明の開示】
【発明が解決しようとする課題】
【０００６】
ここで、回路を２つ以上に分割した場合、回路ごとの素子の特性ばらつきによる微小なタイミング差や電圧差は不可避であり、上記特許文献１においては、駆動回路の出力を電気的に接続して補完しようとしているが、このように出力を接続してしまうと、タイミング差や瞬時的な電圧差により回路間に逆電流が流れる危険性があり、回路の破壊につながる恐れがある。
【０００７】
本発明はこのような課題を鑑みなされたもので、回路破壊の危険性なく大型パネルを駆動する回路を分割し、かつパネルの輝度むらを解決することで、良好な画像表示が可能な１００インチを超えるＰＤＰを実現することを目的とする。
【課題を解決するための手段】
【０００８】
上記目的を実現するために本発明のプラズマディスプレイパネルは、誘電体に覆われた複数の走査電極と複数の維持電極が形成された前面基板と、書き込み電極および隔壁が形成された背面基板と、が対向配置されたプラズマディスプレイパネルであって、前記複数の維持電極は、本数の等しい少なくとも二つ以上のグループに分けられ、前記グループごとに前記維持電極どうしを電気的に接続する接続部を備え、前記接続部は、グループごとに互いに電気的に分離されており、且つ、それぞれ異なる回路と接続されている、ことを特徴とするものである。
【０００９】
また、上記目的を実現するために本発明のプラズマディスプレイ装置は、上述のプラズマディスプレイパネルと、前記各グループが備える前記維持電極各々に、駆動電圧を印加するための維持駆動回路と、前記維持電極と前記維持駆動回路とを接続する接続基板と、を備えたものである。
【発明の効果】
【００１０】
本発明によれば、回路破壊の危険性なく大型パネルを駆動する回路を分割し、かつパネルの輝度むらを解決することができ、もって良好な画像表示が可能な１００インチを超えるＰＤＰを実現することができる。
【発明を実施するための最良の形態】
【００１１】
以下、本発明の一実施の形態によるＰＤＰについて図を用いて説明するが、本発明の実施の態様はこれに限定されるものではない。
【００１２】
図１は、本発明の一実施の形態によるＰＤＰの一部分の構成を概略的に示す断面斜視図である。
【００１３】
図１に示すように、ＰＤＰ１は、ガラス製の前面基板２と背面基板３とを、その間に放電空間を形成するように対向配置することにより構成されている。
【００１４】
前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。
【００１５】
ここで、例えば走査電極４および維持電極５はそれぞれ、導電性を高めるための金属母線４Ａ、５Ａと透明電極４Ｂ、５Ｂとから構成されている。
【００１６】
また、背面基板３上には絶縁体層１０で覆われた複数のデータ電極１１が設けられ、絶縁体層１０上には例えばストライプ状の隔壁８が設けられている。また、絶縁体層１０の表面および隔壁８の側面には蛍光体層９が設けられている。
【００１７】
そして、走査電極４および維持電極５とデータ電極１１とが交差するように前面基板２と背面基板３とが対向配置されており、その間に形成される放電空間には、放電ガスが封入されている。
【００１８】
なお、ＰＤＰの構造は上述したものに限られるものではなく、例えば隔壁が縦隔壁と横隔壁とを備える井桁状のものであっても、本願発明から得られる効果には影響はない。
【００１９】
図２は、本発明の一実施の形態によるＰＤＰの電極構成を模式的に示す平面図である。前述したように走査電極４と維持電極５とがペアを作って多数並んでいるが、維持電極５は、画面の端部で接続部１００によって電気的に接続されている。この構成により、維持電極５の接続信頼性が高まり、ＰＤＰ全体の輝度ばらつきが抑えられるという役割がある。
【００２０】
また図２に示すように、本発明の一実施の形態によるＰＤＰにおいては、この接続部１００はすべての維持電極５を１つに接続するのではなく、２つ以上のグループに分けた上で接続している。各グループに属する維持電極の数は等しく、Ｎｓである。すなわち、維持電極５（Ｙ１，１）〜５（Ｙ１，Ｎｓ）がグループ１として接続部Ｃ１に、５（Ｙ２，１）〜５（Ｙ２，Ｎｓ）がグループ２として接続部Ｃ２に接続されている。
【００２１】
また、それぞれのグループにおいて、回路（図示せず）と接続するための複数の端子ブロック２２０が設けられており、この端子ブロックと回路とを接続基板によって接続する。ここで、各グループごとの端子ブロックの数は等しく、Ｎｂである。すなわち、接続部Ｃ１には端子ブロック２２０（Ｂ１，１）〜２２０（Ｂ１，Ｎｂ）が備えられ、また接続部Ｃ２には端子ブロック２２０（Ｂ２，１）〜２２０（Ｂ２，Ｎｂ）が備えられている。
【００２２】
なお、異なるグループは異なる回路に接続され、また、各グループは、その接続部１００、回路を含めて電気的に分離されている。
【００２３】
図３は、上述した本発明の一実施の形態によるＰＤＰを用いた、同じく本発明の一実施の形態によるプラズマディスプレイ装置の概略構成を示す斜視図である。図３（Ａ）はＰＤＰ１側から見た図、図３（Ｂ）はその反対側のシャーシ２０側から見た図である。ＰＤＰ１は、シャーシ２０に貼り付けられており、そしてこのシャーシ２０はＰＤＰ１を貼り付けた面とは逆の面に駆動回路群３１〜３５を固定させている。
【００２４】
ＰＤＰ１には、各電極が端子ブロックを通じて各駆動回路と接続されている。走査電極４（図１）は、端子ブロック２１０において、接続基板２１と接続しており、この接続基板２１は走査駆動回路３１と接続されている。維持電極５（図１）は端子ブロック２２０において接続基板２２と接続しており、この接続基板２２は維持駆動回路３２と接続されている。データ電極１１（図１）は、端子ブロック２３０において接続基板２３と接続しており、この接続基板２３はデータ駆動回路３３と接続している。
【００２５】
また、走査駆動回路３１、維持駆動回路３２、データ駆動回路３３には、それぞれ電源回路３４、制御回路３５が接続されている。なお、これらの回路は、共用化あるいは分割されていても良い。本発明の一実施の形態によるＰＤＰにおいては、維持駆動回路３２はすでに説明した維持電極５のグループに対応して複数設けられている。ここでは、グループの数が２つの例を示している。
【００２６】
接続基板２１、２２、２３は、通常、フレキシブル基板（ＦＰＣ）が用いられる。
【００２７】
ここで前述したとおり、維持駆動回路３２を２つ以上のグループに分割した場合、回路間に発生する微小な電圧やタイミングの変化が生じることが問題となる。接続する維持電極５をすべて１つに共有化すると、その一つに共有化した部分に瞬時的に電位差が生じ、瞬時電流によって電極が発熱することがある。また、それを避けるために複数の維持駆動回路３２の出力間を接続した場合、この微小なタイミング差や電圧差は、回路の出力間における逆電流となり、回路破壊につながる。したがって、少なくともこれらのグループは電気的に分離しておく必要があるが、単純に分離しただけでは、この微小なタイミング差、電圧差によってパネルに輝度むらを生じてしまう。
【００２８】
このような輝度むらを抑えるためには、タイミングに多少の差ができても、結果として印加される電圧としての変動を抑える、あるいは各グループと同程度にすることが有効である。そのために、駆動回路と各グループの電極へ至る物理的な配列を揃えることで各グループが等価になるようにすることが好ましい。
【００２９】
ここで図２に示したように、本願発明の一実施の形態によるＰＤＰにおいては、すべての維持電極５を１つに接続するのではなく、２つ以上のグループに分けた上で接続しており、また、各グループに属する維持電極の数は等しくしている。さらには、それぞれのグループにおいて、回路と接続するために設けられている複数の端子ブロック２２０も、各グループごとに数は等しくしている。また図３に示す本発明の一実施の形態によるプラズマディスプレイ装置の構成においても、端子ブロック２２０の数は、ブロックごとに等しく、各４つとした構成を示している。また、接続基板２２の数も同様に各グループで等しく、各４つとした構成を示している。
【００３０】
以上のような構成により、各グループ間でのばらつきが発生しにくい構成となっている。
【００３１】
さらには、各グループにおける接続部１００の面積、幅（図２中のＷ）は等しいことが好ましい。なお、各グループの中においては、端子ブロック２２０の配置は対称形である必要はないが、グループとグループの間の関係を対称形にすることが好ましい。すなわち、グループとグループとの間の境目における状態をグループ間で等しくなるようにすることが重要である。
【００３２】
またさらには、各グループ内においても、電極間に電圧差が発生しないようにすることが好ましい。このため、各グループにおいては、端子ブロックを複数、均等に配置し、駆動回路からの電圧を均等に各電極に供給することが良い。
【００３３】
このため、接続部１００の面積については、各電極に均等に電流を供給できるよう十分大きくすることが好ましい。
【００３４】
図４に、接続部１００に必要な面積（幅）についての説明図を示す。ある１つのグループについて、ここに属した維持電極５の本数をＮｓとする。また、端子ブロック２２０の数をＮｂとする。すると、１つの端子ブロックあたりの維持電極の本数はＮｓ／Ｎｂとなる。図中水平な破線で区切られた範囲内が、１つの端子ブロック２２０が担当する維持電極５となる。１つの端子ブロック２２０から供給された電流は各電極に分配されて流れていくが、端子ブロック２２０から接続部１００を通って流れていく電流は、最大で端子ブロック１つあたりの維持電極本数Ｎｓ／Ｎｂの半分、すなわちＮｓ／（２・Ｎｂ）となる。したがって、接続部の幅は、維持電極幅ＷｅのＮｓ／（Ｎｂ・２）倍より大きくする必要がある。このことから、接続部の幅Ｗｓに対し、Ｗｓ≧Ｗｅ×Ｎｓ／（２・Ｎｂ）という関係式が導かれる。
【００３５】
また図５に、接続部１００と維持電極５とを平面図で示すように、走査電極４および維持電極５は、その端子ブロック２１０、２２０に引き出すために、図５（Ａ）のように角度をもって引き出される。この場合、接続部１００は、その引き出し部を共通化するように配置される。しかし、本発明の一実施の形態のＰＤＰにおける接続部１００は、図５（Ｂ）に示すように、維持電極５がすべて同じ長さ、同じ角度で接続部１００につながっている。こうすることにより、維持電極５部分において電極ごとの長さの差が生じず、グループ内でのばらつきが抑制され好ましい。
【００３６】
次に、図３を再び用いて本発明の一実施の形態によるプラズマディスプレイ装置における回路構成を説明する。
【００３７】
すでに説明したとおり、本発明の一実施の形態によるプラズマディスプレイパネルにおいては、維持駆動回路３２は維持電極５のグループに対応して２つ以上設けられている。ここで、２つのグループに属する接続基板２２の数を等しくし、配置を対称形にしておく。こうすることで、２つのグループに供給される電流のルートを等しくし、２つのグループ間に発生する輝度差を抑えることができ好ましい。なお、接続基板と接続部の数は必ずしも同じである必要はない。同じパネルを使いながら回路や装置全体の目的、設計思想から接続基板の配置を変化させたプラズマディスプレイ装置を設計することが考えられ、その場合、一部の接続部には接続基板が接続されない、ということも可能である。この場合、接続基板の数が接続部の数より少なくなる。
【００３８】
またさらには、２つの維持駆動回路それぞれに対し、電圧を供給する電源基板を別々に備えることもできる。こうすることで、２つの維持駆動回路をその電源供給経路を含めて完全に分離し、安定な動作をさせることができる。また、１つの電源から供給する場合と比較して電源基板と維持駆動回路との距離を近づけることができるので、より安定な電圧供給が可能となる。
【００３９】
なお、本発明は、図１に示すＰＤＰの構造によるものではなく、誘電体層６、隔壁８、走査電極４、維持電極５などについては上記実施の形態で説明したものでなくてもよい。また、本願発明の効果は、ＰＤＰの駆動方法にも依存しないことも明らかである。
【産業上の利用可能性】
【００４０】
以上のように本発明は、大型ディスプレイに使用するＰＤＰ、およびＰＤＰ装置を提供する上で有用な発明である。
【図面の簡単な説明】
【００４１】
【図１】本発明の一実施の形態によるＰＤＰの一部分の構成を概略的に示す断面斜視図
【図２】本発明の一実施の形態によるＰＤＰの電極構成を模式的に示す平面図
【図３】本発明の一実施の形態によるプラズマディスプレイ装置の概略構成を示す斜視図
【図４】本発明の一実施の形態によるＰＤＰにおける接続部分の設計指針を説明する図
【図５】本発明の一実施の形態によるＰＤＰにおける接続部と電極との関係を示す図
【符号の説明】
【００４２】
１  プラズマディスプレイパネル
２  前面基板
３  背面基板
４  走査電極
５  維持電極
６  誘電体層
７  保護層
８  隔壁
９  蛍光体層
１０  絶縁体層
１１  データ電極
１２  ブラックストライプ
２０  シャーシ
２１  走査電極接続基板
２２  維持電極接続基板
２３  データ電極接続基板
３１  走査駆動回路
３２  維持駆動回路
３３  データ駆動回路
３４  電源回路
３５  制御回路
１００  維持電極接続部
２１０  走査電極端子ブロック
２２０  維持電極端子ブロック
２３０  データ電極端子ブロック
【図１】
2010055913.tif 000003
【図２】
2010055913.tif 000004
【図３】
2010055913.tif 000005
【図４】
2010055913.tif 000006
【図５】
2010055913.tif 000007